(57)【要約】【課題】工具を用いることなく光源装置を交換できるプロジェクタを提供する。【解決手段】プロジェクタは、光束を射出する光源を備えた光源装置２１と、光源装置２１を収納し、光源装置２１が着脱される開口部４３Ａ、および光源装置２１が位置固定されるための穴部４３３を有する下側筐体４３と、光源装置２１に取り付けられ、穴部４３３に係合する係合状態と、係合が解除される解除状態とが切り換えられる係合部５１と、係合部５１と連動する操作部５２と、を備える。係合部５１は、操作部５２の操作によって、係合状態と解除状態とが切り換えられる。【選択図】図３
2010085556.tif 000002
【特許請求の範囲】
【請求項１】
光束を射出する光源を備えた光源装置と、
前記光源装置を収納し、前記光源装置が着脱される開口部、および前記光源装置が位置
固定されるための固定部を有する光学部品用筐体と、
前記光源装置に取り付けられ、前記固定部に係合する係合状態と、係合が解除される解
除状態とが切り換えられる係合部と、
前記係合部と連動する操作部と、
を備え、
前記係合部は、前記係合状態および前記解除状態の少なくとも前記係合状態が前記操作
部の操作によって、前記解除状態に切り換えられることを特徴とするプロジェクタ。
【請求項２】
請求項１に記載のプロジェクタであって、
前記固定部は、前記開口部を形成する側壁に設けられた穴部であり、
前記光学部品用筐体は、前記穴部の内径寸法より内面間の距離が小さく、前記穴部から
前記開口部の縁部まで前記側壁に沿って形成された案内溝を有し、
前記係合部は、外径寸法が前記案内溝の内面間の距離より小さな寸法の第１径部と、大
きな寸法の第２径部とが形成された前記穴部に嵌合可能な軸部を有し、前記操作部が操作
されることによって、前記軸部の軸心を中心に回動し、前記案内溝の内面に対して前記第
１径部の外面が沿う前記解除状態と、前記案内溝の内面に対して前記第１径部の外面が略
直交する前記係合状態とが切り換えられることを特徴とするプロジェクタ。
【請求項３】
請求項１に記載のプロジェクタであって、
前記固定部は、前記開口部を形成する側壁の内面に設けられ、前記開口部側が凸となる
段差部であり、
前記係合部を前記段差部に向かって付勢する付勢部をさらに備え、
前記係合部は、前記付勢部によって付勢され、先端が前記段差部に係合する前記係合状
態と、前記操作部の操作によって、先端が前記段差部から離間する前記解除状態とに突出
する量が切り換えられることを特徴とするプロジェクタ。
【請求項４】
請求項１〜請求項３のいずれか一項に記載のプロジェクタであって、
前記係合状態における前記係合部または前記操作部を保持する保持部を備えることを特
徴とするプロジェクタ。
【請求項５】
請求項４に記載のプロジェクタであって、
前記開口部を閉塞する蓋部材をさらに備え、
前記保持部は、前記蓋部材に設けられていることを特徴とするプロジェクタ。
【請求項６】
請求項１〜請求項５のいずれか一項に記載のプロジェクタであって、
前記係合部および前記操作部は、前記光源装置に対して着脱可能に構成されていること
を特徴とするプロジェクタ。
【発明の詳細な説明】
【技術分野】
【０００１】
本発明は、画像光を投写するプロジェクタに関する。
【背景技術】
【０００２】
従来、光源から射出された光束を画像情報に応じて変調して画像光を形成し、その画像
光をスクリーン等に投写するプロジェクタが知られている。光源は、超高圧水銀灯等から
構成され、光源用筐体に収納されて光源装置として、プロジェクタ本体に収納される。そ
して、光源装置は、光源が劣化や寿命により性能が低下した際に交換できるように構成さ
れている。具体的に、光源装置は、多くの場合、プロジェクタ本体内にネジ止めによって
位置固定されている。そして、光源装置は、交換される際には、このネジが緩められて取
り外され、新たな光源装置がプロジェクタ本体内に挿入されてネジ固定される。
そして、このネジを緩めたり、締めたりする工具をプロジェクタ内部に収納する技術が
提案されている（特許文献１参照）。
【０００３】
特許文献１に記載の技術は、ランプハウス、光源用筐体（ランプボックス）、ランプボ
ックス固定用ネジ、および工具（ネジ操作部材）を備える。ランプハウスは、プロジェク
タ本体に設けられ、光源用筐体、つまり光源装置を挿着するための空間と、光源装置をネ
ジ止めするためのネジ止め部とを有している。光源用筐体は、光源（ランプ）を収納し、
工具を着脱自在に保持している。そして、光源装置が交換される際には、光源用筐体に保
持されている工具によって、ランプボックス固定用ネジが緩められて光源装置が取り外さ
れ、新たな光源装置がランプハウスに挿入されてネジ止めされる。
【０００４】
【特許文献１】特開２００５−３０１０９０号公報
【発明の開示】
【発明が解決しようとする課題】
【０００５】
しかしながら、特許文献１に記載の技術は、工具を別途用意する必要がないとはいうも
のの、工具を用いてランプボックス固定用ネジを緩めたり締めたりすることによって光源
装置を交換するため、交換操作が煩雑になるという課題がある。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクタは、光束を射出する光源を備えた光源装置と
、前記光源装置を収納し、前記光源装置が着脱される開口部、および前記光源装置が位置
固定されるための固定部を有する光学部品用筐体と、前記光源装置に取り付けられ、前記
固定部に係合する係合状態と、係合が解除される解除状態とが切り換えられる係合部と、
前記係合部と連動する操作部と、を備え、前記係合部は、前記係合状態および前記解除状
態の少なくとも前記係合状態が前記操作部の操作によって、前記解除状態に切り換えられ
ることを特徴とするプロジェクタ。
【０００８】
このプロジェクタによれば、光源装置に取付けられている係合部は、操作部が操作され
ることで、少なくとも係合状態から解除状態に切り換えられる。これによって、光源装置
は、工具を用いることなく、光学部品用筐体から取り外されるので、ユーザーは、容易に
光源装置を交換することが可能となり、利便性の向上が図れる。
【０００９】
［適用例２］上記適用例に係るプロジェクタにおいて、前記固定部は、前記開口部を形
成する側壁に設けられた穴部であり、前記光学部品用筐体は、前記穴部の内径寸法より内
面間の距離が小さく、前記穴部から前記開口部の縁部まで前記側壁に沿って形成された案
内溝を有し、前記係合部は、外径寸法が前記案内溝の内面間の距離より小さな寸法の第１
径部と、大きな寸法の第２径部とが形成された前記穴部に嵌合可能な軸部を有し、前記操
作部が操作されることによって、前記軸部の軸心を中心に回動し、前記案内溝の内面に対
して前記第１径部の外面が沿う前記解除状態と、前記案内溝の内面に対して前記第１径部
の外面が略直交する前記係合状態とが切り換えられることが好ましい。
【００１０】
このプロジェクタによれば、第１径部の外径寸法が案内溝の内面間の距離より小さいの
で、案内溝の内面に対してこの第１径部の外面が沿う状態は、軸部が案内溝を通過可能な
状態となる。つまり、光源装置は、軸部が案内溝に案内されて光学部品用筐体に着脱可能
な状態で、係合部は、解除状態となる。そして、光源装置は、この解除状態において、軸
部が穴部に嵌合する位置まで挿入された後、操作部の操作によって、係合部が軸部の軸心
を中心に回動されると、案内溝の内面に対して第１径部の外面が略直交する状態に切り換
わる。第２径部の外径寸法は、案内溝の内面間の距離より大きいので、軸部が案内溝を通
過できずに、第１径部の外面が穴部と案内溝とで形成される段差に係合する係合状態とな
る。
このように、光源装置は、軸部が案内溝に案内されて滑らかに光学部品用筐体に着脱さ
れることが可能になると共に、操作部の操作によって、係合部が軸部の軸心を中心に回動
されて容易に係合状態と解除状態とが切り換えられる。したがって、光源装置は、工具を
用いることなく、光学部品用筐体からの取り出し、および位置固定ができるので、ユーザ
ーは、さらに容易に光源装置を交換することが可能となる。
【００１１】
［適用例３］上記適用例に係るプロジェクタにおいて、前記固定部は、前記開口部を形
成する側壁の内面に設けられ、前記開口部側が凸となる段差部であり、前記係合部を前記
段差部に向かって付勢する付勢部をさらに備え、前記係合部は、前記付勢部によって付勢
され、先端が前記段差部に係合する前記係合状態と、前記操作部の操作によって、先端が
前記段差部から離間する前記解除状態とに突出する量が切り換えられることが好ましい。
【００１２】
このプロジェクタによれば、係合部は、付勢部によって付勢されて先端が段差部に係合
する係合状態になり、操作部の操作によって、段差部から離間する解除状態に切り換えら
れる。これによって、ユーザーは、係合状態から解除状態にする際にだけ操作部を操作す
れば光源装置の交換が可能となり、さらに利便性の向上が図れる。
【００１３】
［適用例４］上記適用例に係るプロジェクタにおいて、前記係合状態における前記係合
部または前記操作部を保持する保持部を備えることが好ましい。
【００１４】
このプロジェクタによれば、係合部または操作部は、係合状態において保持部によって
保持されるので、係合部と固定部との係合が強化される。これによって、プロジェクタに
衝撃等が加わった際にも、光源装置は、安定して光学部品用筐体に位置固定されることが
可能となる。
【００１５】
［適用例５］上記適用例に係るプロジェクタにおいて、前記開口部を閉塞する蓋部材を
さらに備え、前記保持部は、前記蓋部材に設けられていることが好ましい。
【００１６】
このプロジェクタによれば、保持部は、蓋部材に設けられているので、開口部が閉塞さ
れた際に係合部または操作部は、蓋部材によって保持される。これによって、開口部を閉
塞する操作で、係合部または操作部を保持することができるので、利便性の向上が図れる
。
【００１７】
［適用例６］上記適用例に係るプロジェクタにおいて、前記係合部および前記操作部は
、前記光源装置に対して着脱可能に構成されていることが好ましい。
【００１８】
このプロジェクタによれば、係合部および操作部は、光源装置に対して着脱可能に構成
されているので、交換用の光源装置には、係合部および操作部を取付けておかなくとも、
交換される光源装置の係合部および操作部を使用することができる。これによって、交換
用の光源装置の軽量化や省資源化等が図れる。
【発明を実施するための最良の形態】
【００１９】
（第１実施形態）
以下、第１実施形態に係るプロジェクタについて、図面を参照して説明する。
本実施形態のプロジェクタは、光源から射出された光束を画像情報に応じて変調して画
像光を形成し、その画像光をスクリーン等に拡大投写する。
図１は、本実施形態のプロジェクタの外観を示す図であり、前方上側から見た斜視図で
ある。
図１に示すように、プロジェクタ１００は、本体が外装筐体１で囲まれた構成になって
いる。そして、外装筐体１内には、光学ユニット２（図２参照）、図示しない制御部、電
源装置、プロジェクタ１００内部を冷却する冷却ファン等を備えている。
【００２０】
外装筐体１は、合成樹脂製であり、上部を構成するアッパーケース１１、および下部を
構成するロアーケース１２を備えており、これらは、互いにネジ等により固定されている
。
【００２１】
アッパーケース１１の前面１１Ａには、略円形状の開口部１１１が形成されており、こ
の開口部１１１の内側には、投写光学装置としての投写レンズ２８が配置されている。そ
して、投写レンズ２８から射出された画像光は、この開口部１１１を通過して前方に投写
される。
アッパーケース１１の上面１１Ｂ前方には、入力操作部１３が設けられている。入力操
作部１３は、プロジェクタ１００の各種設定を行うためのメニュー画像の表示／非表示を
切り換えるメニューキー、入力ソースを切り換えるソース切換えキー等、各種指示を行う
ための複数のキー等を備えている。また、アッパーケース１１の上面１１Ｂの後方には、
後述する光源装置２１（図３参照）の交換用の開口部１１２が形成されており、この開口
部１１２は、蓋部材１４がアッパーケース１１に装着されることによって閉塞される。
アッパーケース１１の側面１１Ｃの後方には、矩形状の孔１１３が複数設けられており
、この孔１１３は、光源の点灯に伴って温まった外装筐体１内の空気が排出される排気口
である。
【００２２】
制御部は、ＣＰＵ（Central Processing Unit）やＲＯＭ（Read Only Memory）、ＲＡ
Ｍ（Random Access Memory）等を備え、コンピュータとして機能するものであり、プロジ
ェクタ１００の動作の制御、例えば、画像の投写に関わる制御等を行う。
【００２３】
電源装置は、電源ブロックと光源駆動ブロックとを備え、制御部および光源等の電子部
品に電力を供給する。
電源装置は、光源に電力を供給するための図示しない出力コネクタを備えている。出力
コネクタは、図示しないケーブルを介して後述する光学部品用筐体４（図３参照）に配置
されている。
【００２４】
光学ユニット２は、制御部による制御の下、光源から射出された光束を光学的に処理し
、画像情報に応じた画像光を形成して投写する。
図２は、光学ユニット２を模式的に示す図である。
図２に示すように、光学ユニット２は、光源装置２１、照明光学装置２２、色分離光学
装置２３、電気光学装置２７、投写光学装置としての投写レンズ２８、光学部品用筐体４
、および可動部５（図５参照）等を備える。
【００２５】
光源装置２１は、光源２１１、リフレクタ２１２、入力コネクタ２１３（図３参照）、
および光源用筐体３等を備え、光学部品用筐体４に対して着脱可能に構成されている。
光源２１１は、超高圧水銀ランプで構成され、光束を射出する。リフレクタ２１２は、
放物面鏡を有しており、光源２１１から射出された放射状の光束を反射して略平行の光束
として第１レンズアレイ２２１へと射出する。なお、光源２１１としては、超高圧水銀ラ
ンプに限らず、例えばメタルハライドランプ等を採用してもよい。また、リフレクタ２１
２としては、放物面鏡に限らず、楕円面鏡からなるリフレクタ２１２の射出面に平行化凹
レンズを配置した構成を採用してもよい。
入力コネクタ２１３は、光源装置２１が光学部品用筐体４に挿着された際に、電源装置
の出力コネクタに接続される。光源２１１は、この入力コネクタ２１３を介して電源装置
から電力が供給される。光源用筐体３は、光源２１１、リフレクタ２１２および入力コネ
クタ２１３等を収納する。なお、光源用筐体３については、後で詳細に説明する。
【００２６】
照明光学装置２２は、第１レンズアレイ２２１、第２レンズアレイ２２２、および偏光
変換素子２２３を備える。第１レンズアレイ２２１および第２レンズアレイ２２２は、偏
光変換素子２２３の射出側に配置される重畳レンズ２２０とともに、光源装置２１から射
出された光束を後述する反射型液晶パネル２７２Ｒ，２７２Ｇ，２７２Ｂの画像形成領域
を略均一に照明するように光学的に処理する。偏光変換素子２２３は、ランダム偏光の光
束を一方向の偏光光に揃える機能を有している。
【００２７】
色分離光学装置２３は、Ｂダイクロイックミラー２３１、ＲＧダイクロイックミラー２
３２、Ｇダイクロイックミラー２３３、および反射ミラー２３４，２３５を備え、照明光
学装置２２から射出された光束を赤色光、緑色光、青色光の３色の色光に分離する機能を
有する。
【００２８】
電気光学装置２７は、偏光選択素子２７１Ｒ，２７１Ｇ，２７１Ｂ、光変調装置として
の反射型液晶パネル２７２Ｒ，２７２Ｇ，２７２Ｂ、および光合成部としてのクロスダイ
クロイックプリズム２７３を備え、色分離光学装置２３から射出された各色光を画像情報
に応じて変調して画像光を形成する。
【００２９】
投写レンズ２８は、複数のレンズを組み合わせた組レンズとして構成され、電気光学装
置２７にて形成された画像光をスクリーン上に拡大投写する。
【００３０】
光学部品用筐体４は、第１筐体４１、第２筐体４２および取付部材４５（図３参照）を
有して構成されている。
第１筐体４１は、重畳レンズ２２０、および色分離光学装置２３等を所定位置に収納配
置する。第２筐体４２は、光源装置２１および照明光学装置２２等を所定位置に収納配置
する。取付部材４５は、第１筐体４１および第２筐体４２を保持する。
図３は、光学ユニット２の斜視図である。具体的に、図３は、電気光学装置２７および
投写レンズ２８を除く光学ユニット２を後方上側から見た図であり、光源装置２１を第２
筐体４２から分離した図である。なお、以下では、説明の便宜上、光源装置２１から光束
が射出される方向を「右」（＋Ｘ方向）、画像光が投写される方向を「前」（＋Ｙ方向）
、Ｘ方向およびＹ方向に直交し、図３の図面視における上を「上」（＋Ｚ方向）として記
載する。
【００３１】
図３に示すように、第１筐体４１は、光学ユニット２の右側（＋Ｘ方向）端部に配置さ
れる。第１筐体４１は、合成樹脂製で箱状に形成され、右側（＋Ｘ方向）に開口部を有し
、左側（−Ｘ方向）を構成する容器状の左側筐体４１１、およびその開口部を閉塞する蓋
状の右側筐体４１２を有している。第１筐体４１には、色分離光学装置２３によって分離
された各色光の光軸を含む仮想平面がＹ−Ｚ平面に沿うように、各光学部品が配置される
。そして、色分離光学装置２３で分離された各色光は、第１筐体４１の前方（＋Ｙ方向）
から射出される。図３において図示しない電気光学装置２７および投写レンズ２８は、第
１筐体４１の前方（＋Ｙ方向）に配置される。そして、投写レンズ２８は、色分離光学装
置２３から射出され、電気光学装置２７にて形成された画像光を前方（＋Ｙ方向）に投写
する。
【００３２】
第２筐体４２は、図３に示すように、光学ユニット２の左側（−Ｘ方向）端部に配置さ
れ、上方に開口部を有する容器状の下側筐体４３、およびその開口部の右側（＋Ｘ方向）
を閉塞する上側筐体４４を有している。
下側筐体４３は、ＢＭＣ（Bulk Molding Compound）等の高耐熱材料で形成され、ロア
ーケース１２の底面に沿って配置される底部４３１と、底部４３１の端縁から起立する側
壁４３２とを有している。そして、側壁４３２の右側内面には、照明光学装置２２の各光
学部品を位置決めするための複数の溝が形成されており、各光学部品は、側端部がこの溝
に挿入されて下側筐体４３に組み込まれる。
また、下側筐体４３の左側後方には、電源装置の出力コネクタが配置される。出力コネ
クタは、光源装置２１が挿着された際に入力コネクタ２１３に接続されるように下側筐体
４３に位置固定されている。
【００３３】
上側筐体４４は、高耐熱材料で形成されており、ネジによって下側筐体４３に取付けら
れ、照明光学装置２２の各光学部品の上方を覆っている。
光源装置２１は、下側筐体４３の左側に収納され、上側筐体４４によって閉塞されない
左側の開口部４３Ａから着脱される。
【００３４】
開口部４３Ａを形成する側壁４３２について説明する。
側壁４３２のうち、Ｘ−Ｚ平面に沿って対向する２つの側壁４３２１には、前後方向（
±Ｙ方向）に貫通する穴部４３３がそれぞれ設けられている（図３において片側のみ示す
）。穴部４３３は、光源装置２１を位置固定するための固定部に相当する。また、２つの
側壁４３２１には、穴部４３３から側壁４３２１に沿って切り欠かれた貫通する溝（案内
溝４３４）が形成されている。
図４は、穴部４３３および案内溝４３４を後方（−Ｙ方向）から見た拡大図である。図
４に示すように、案内溝４３４は、穴部４３３から上方（＋Ｚ方向）に向かって開口部４
３Ａ（図３参照）の縁部まで形成されている。そして、案内溝４３４は、その幅、具体的
に内面４３４Ａ間の距離Ｄ１が穴部４３３の内径寸法Ｄ２より小さな寸法に設定されてお
り、穴部４３３と案内溝４３４とで段差４３５が形成されている。
【００３５】
図３に戻って、取付部材４５は、板金で形成され、略直角となる断面視Ｌ字状に屈曲加
工されており、一方の片を構成する垂直部と、他方の片を構成する水平部とを有している
。取付部材４５は、その垂直部の両側に第１筐体４１および第２筐体４２が取り付けられ
ている。具体的に、第１筐体４１は、左側筐体４１１の左側端面が取付部材４５の右側の
面に当接してネジ等で取り付けられている。第２筐体４２は、下側筐体４３の右側端面が
取付部材４５の左側の面に当接してネジ等で取り付けられている。
【００３６】
ここで、光源用筐体３について詳細に説明する。
図３に示すように、光源用筐体３は、筐体本体３１、支持部材３２および固定部材３３
を備えている。
筐体本体３１は、高耐熱材料で略直方体の箱状に形成されており、±Ｘ方向で対向する
側面に開口部が形成されている。光源２１１およびリフレクタ２１２は、＋Ｘ方向の開口
部から光束を射出するように、筐体本体３１に取り付けられている。筐体本体３１の左側
（−Ｘ方向）の後方（−Ｙ方向）には、入力コネクタ２１３が取り付けられている。入力
コネクタ２１３は、ケーブルＣＡを介して光源２１１の電極に接続されている。
【００３７】
支持部材３２および固定部材３３は、後述する可動部５を回動可能に支持する。
図５は、光源装置２１の斜視図であり、固定部材３３および可動部５を分解した図であ
る。
図５に示すように、支持部材３２は、板金製で両側が略直角に屈曲されており、中央部
の内面が筐体本体３１の上面と対向するようにネジ等で筐体本体３１に取り付けられてい
る。支持部材３２の中央部には、上方（＋Ｚ方向）に向かって屈曲された支持部３２１が
２つ設けられており、支持部３２１の上側の端面は、曲面３２１Ａが形成されている。な
お、筐体本体３１および支持部材３２を同一材料で一体的に形成することも可能である。
【００３８】
固定部材３３は、合成樹脂製であり、図５に示すように、平面視における略長方形の２
つの箱状部３３１、および２つの箱状部３３１の間に設けられた板状部３３２を有し、略
対称に形成されている。具体的に、固定部材３３は、２つの箱状部３３１の一方の側面３
３１Ａが対向し、板状部３３２がその対向する側面３３１Ａの略半分に繋がるように形成
されている。そして、固定部材３３は、板状部３３２の上面３３２Ａが箱状部３３１の上
面３３１Ｄに対して凹部となっており、側面３３１Ａには、前述した支持部３２１の曲面
３２１Ａと対応する位置に曲面３３１Ｂが形成されている。また、箱状部３３１の側面３
３１Ａと反対側の側面３３１Ｃには、穴３３３、および穴３３３から側面３３１Ｃの縁部
まで延出する溝３３４が形成されている（図５において、穴３３３、および溝３３４は、
片側のみ示す）。固定部材３３は、図示しないネジによって支持部材３２に固定されてい
る。
【００３９】
次に、可動部５について説明する。
可動部５は、光源装置２１に対して回動可能に取り付けられ、光源装置２１を下側筐体
４３に対して位置固定、およびその解除を行う機能を有している。具体的に、可動部５は
、図５に示すように、係合部５１および操作部５２を有して構成され、光源用筐体３の上
方（＋Ｚ方向）に取り付けられている。
【００４０】
係合部５１は、図５に示すように、金属製の円柱状部材から形成されており、長手方向
に沿って２つの略平行な平坦面を有して加工されている。図６は、係合部５１の断面図で
ある。図６に示すように、係合部５１は、平坦面で形成される第１径部５１２と、円弧で
形成される第２径部５１３とを有している。第１径部５１２の外径寸法Ｄ３は、案内溝４
３４の距離Ｄ１（図４参照）より小さな寸法に設定され、第２径部５１３の外径寸法Ｄ４
は、距離Ｄ１より大きく、穴部４３３の内径寸法Ｄ２（図４参照）より小さな寸法に設定
されている。そして、係合部５１は、２つの側壁４３２１（図３参照）に橋架可能な長さ
を有し、その両端は、穴部４３３（図３参照）に嵌合可能な軸部５１１となっている。な
お、係合部５１は、穴部４３３に嵌合する軸部５１１が第１径部５１２および第２径部５
１３を有して形成されていればよく、穴部４３３に嵌合しない他の部位は、軸部５１１と
異なる形状であってもよい。また、係合部５１は、光源装置２１の着脱や、プロジェクタ
１００に衝撃が加わった際等に伴う負荷に耐える材料であれば、金属以外の材料を採用す
ることも可能である。
【００４１】
操作部５２は、合成樹脂製で係合部５１に取り付けられ、係合部５１と連動するように
構成されている。
操作部５２は、図５に示すように、平面視略Ｔ字状に形成され、一方向に延出する把持
部５２２、および把持部５２２の中央部から略直交して延出する取付部５２１を有してい
る。操作部５２の厚み寸法は、固定部材３３の上面３３１Ｄと上面３３２Ａとの段差寸法
と同等に設定されており、把持部５２２の外面５２Ａは、平坦に形成されている。取付部
５２１の端部近傍には、把持部５２２の長手方向に沿って貫通する貫通孔が設けられてい
る。
操作部５２は、取付部５２１の貫通孔に係合部５１が挿通され、係合部５１の略中央部
に取り付けられている。具体的に、操作部５２は、外面５２Ａが第１径部５１２の外面に
沿うように取り付けられ、係合部５１の両側の軸部５１１は、露出している。なお、操作
部５２および係合部５１を同一材料で一体的に形成することも可能である。
【００４２】
可動部５は、係合部５１の長手方向が前後方向（±Ｙ方向）に沿い、把持部５２２が光
源装置２１から上方に突出するように配置され、回動できるように光源装置２１に取り付
けられている。具体的に、可動部５は、係合部５１が支持部３２１の曲面３２１Ａに載置
され、固定部材３３が係合部５１の上方から組み込まれることによって、係合部５１が曲
面３２１Ａと固定部材３３の曲面３３１Ｂとに挟持される。そして、可動部５は、軸部５
１１の軸心を中心にしてＸ−Ｚ平面に沿う方向に回動可能になっている。なお、固定部材
３３が組み込まれる際、係合部５１が溝３３４を通って穴３３３に挿通される。
【００４３】
次に、光源装置２１が下側筐体４３に着脱される動作について説明する。
先ず、光源装置２１が下側筐体４３に挿着される動作について説明する。
図７、図８は、光源装置２１および下側筐体４３を示す斜視図である。具体的に、図７
は、光源装置２１が下側筐体４３に位置固定される前の状態を示す斜視図であり、図８は
、光源装置２１が下側筐体４３に位置固定された状態を示す斜視図である。
図７に示すように、光源装置２１は、軸部５１１が案内溝４３４に案内されて下側筐体
４３に挿着される。具体的に、光源装置２１は、操作部５２の外面５２ＡがＺ方向に沿う
ように起立した状態、つまり、第１径部５１２の外面が案内溝４３４の内面４３４Ａに沿
う状態で開口部４３Ａから挿入される。第１径部５１２の外径寸法Ｄ３は、案内溝４３４
の距離Ｄ１より小さいので、軸部５１１は、案内溝４３４を挿通し、光源装置２１は、可
動部５と共に下側筐体４３に挿入される。
入力コネクタ２１３は、光源装置２１が挿入されていく過程で徐々に出力コネクタと嵌
合していく。そして、光源装置２１が下方（−Ｚ方向）に押圧され、軸部５１１が穴部４
３３に嵌合する位置に到達すると、入力コネクタ２１３と出力コネクタとが接続される。
【００４４】
軸部５１１が穴部４３３に嵌合された後、操作部５２が左方向（−Ｘ方向）に倒される
ことによって、係合部５１は、操作部５２と連動して軸部５１１の軸心を中心に回動する
。そして、図８に示すように、操作部５２が略水平、すなわち外面５２ＡがＸ−Ｙ平面に
沿った状態まで倒されると、係合部５１は、第１径部５１２の外面が案内溝４３４の内面
４３４Ａに対して略直交する状態に切り換わる。第２径部５１３の外径寸法Ｄ４は、案内
溝４３４の距離Ｄ１より大きいので、この状態において、軸部５１１は、段差４３５に係
合する係合状態となる。そして、光源装置２１は、下側筐体４３に位置固定される。
【００４５】
操作部５２は、外面５２ＡがＸ−Ｙ平面に沿った状態まで倒された際に、周縁部の一部
が固定部材３３に設けられた図示しない突起状の保持部に係合して係合状態が保持される
。なお、蓋部材１４に保持部としての突起を形成し、蓋部材１４がアッパーケース１１に
装着された際に、操作部５２を押えるように構成し、係合状態を保持することも可能であ
る。
【００４６】
次に、光源装置２１が下側筐体４３から抜出される動作について説明する。
可動部５は、操作部５２が略水平になっている状態から、固定部材３３に設けられた保
持部との係合が解除される力が加えられることによって、右方向（＋Ｘ方向）に回動され
る。そして、再び操作部５２が起立した状態、つまり第１径部５１２の外面５２Ａが案内
溝４３４の内面４３４Ａに沿った状態になると、前述したように軸部５１１が案内溝４３
４を挿通可能な解除状態となる。そして、光源装置２１は、下側筐体４３から抜出できる
状態となる。
このように、光源装置２１は、軸部５１１が案内溝４３４に案内されて光学部品用筐体
４に着脱され、操作部５２が操作されることによって、軸部５１１がその軸心を中心に回
動して解除状態と係合状態とが切り換えられる。
【００４７】
以上説明したように、本実施形態のプロジェクタ１００によれば、以下の効果を得るこ
とができる。
（１）光源装置２１は、工具を用いることなく、下側筐体４３に対する位置固定、およ
び位置固定の解除ができるので、ユーザーは、容易に光源装置２１を交換することが可能
となり利便性の向上が図れる。
【００４８】
（２）光源装置２１を固定するためのネジを用いていないので、ネジ固定するためのス
ペースが不要となり、スペース効率の向上が図れる。
【００４９】
（３）入力コネクタ２１３は、軸部５１１が案内溝４３４に案内されて、出力コネクタ
に滑らかに嵌合するので、入力コネクタ２１３および出力コネクタには、ストレスが加わ
ることが抑制され、両コネクタの接続信頼性の向上が図れる。
【００５０】
（４）操作部５２は、固定部材３３に設けられた保持部によって係合状態が保持される
ので、操作部５２に連動している係合部５１と穴部４３３との係合が強化される。これに
よって、プロジェクタ１００に衝撃等が加わった際にも、光源装置２１は、安定して下側
筐体４３に位置固定されることが可能となる。
【００５１】
（第２実施形態）
次に、第２実施形態に係るプロジェクタ１００について、図面を参照して説明する。
本実施形態のプロジェクタ１００は、第１実施形態の下側筐体４３および蓋部材１４と
形状の異なる下側筐体および蓋部材を備え、第１実施形態の可動部５と構成の異なる可動
部を備えている。
【００５２】
図９は、本実施形態の下側筐体および可動部を示す斜視図である。
図９に示すように、下側筐体７０は、第１実施形態と同様に、光源装置２１を着脱する
開口部７０Ａが形成されている。この開口部７０Ａを形成する側壁のうち、Ｘ−Ｚ平面に
沿って対向する２つの側壁７１の内面には、丸穴７１１が正対して形成されている。そし
て、この丸穴７１１によって、丸穴７１１の底面と側壁７１の内面とで段差部が形成され
る。この段差部のうち、開口部７０Ａ側が凸となる上側の段差部７１２は、後述する係合
部６１が係合し、光源装置２１が位置固定されるための固定部に相当する。また、段差部
７１２の上方には、側壁７１の縁部の幅が小さくなるような傾斜面７１１Ａが形成されて
いる。
【００５３】
可動部６０は、図９に示すように、一対の係合部６１、一対の操作部６２および付勢部
としての圧縮コイルバネ６３を備え、第１実施形態と同様に、係合状態および解除状態が
切り換え可能に構成されている。また、可動部６０は、図示しない部材によって移動可能
に、光源用筐体３の上方（＋Ｚ方向）に取付けられている。
【００５４】
操作部６２は、合成樹脂製で断面視において略Ｌ字状に形成されており、２つの片部６
２１，６２２を有している。係合部６１は、金属製で円柱状に形成されており、一端は、
球状に加工されている。そして、係合部６１は、他端側が片部６２１の端部中央部に形成
された穴に圧入され、操作部６２と連動するようになっている。なお、それぞれの操作部
６２および係合部６１を同一材料で一体的に形成することも可能である。
係合部６１がそれぞれ圧入された２つの操作部６２は、それぞれの片部６２２が背中合
わせとなり、係合部６１の先端がそれぞれ前方（＋Ｙ方向）、後方（−Ｙ方向）の段差部
７１２を向き、それぞれ前後方向（±Ｙ方向）に移動可能になっている。
【００５５】
圧縮コイルバネ６３は、背中合わせになっている２つの片部６２２の間に配置されてお
り、２つの係合部６１をそれぞれ前方、後方の段差部７１２に向かって付勢している。そ
して、係合部６１は、光源用筐体３に設けられた図示しない突起と、片部６２１に設けら
れた図示しない突起とが係合してそれぞれ前方、後方に突出する突出量が規制されている
。そして、係合部６１は、２つの片部６２２が互いに近接するように操作されると、圧縮
コイルバネ６３が圧縮され、その突出量が小さくなる。
【００５６】
２つの係合部６１の先端の距離（先端距離）は、先端が最も突出した状態（最大突出状
態）から、最も小さくなる状態（最小突出状態）の間で変更される。そして、係合部６１
は、所定の突出量を超えると段差部７１２と係合し、所定の突出量を下回ると段差部７１
２から離間する。
図１０は、可動部６０および下側筐体７０を示す断面図である。
図１０に示すように、最大突出状態における先端距離Ｌ１は、２つの側壁７１の内面間
の距離（壁間距離Ｌ３）より大きく、最小突出状態における先端距離は、壁間距離Ｌ３よ
り小さく設定されている。また、２つの丸穴７１１の底面の距離（底面距離Ｌ４）は、先
端距離Ｌ１より僅かに大きな寸法に設定されている。
【００５７】
ここで、光源装置２１が下側筐体７０に着脱される動作について説明する。
光源装置２１は、開口部７０Ａから挿入され、下方に押圧されることによって下側筐体
７０に挿着される。具体的に、光源装置２１は、図１０に示すように、可動部６０と共に
開口部７０Ａから挿入されると、係合部６１は、先端が傾斜面７１１Ａと当接し、その反
力で内側へ押圧されて突出量が小さくなるよう移動する。圧縮コイルバネ６３は、係合部
６１に連動している操作部６２に押圧されて圧縮される。
【００５８】
光源装置２１は、入力コネクタ２１３と出力コネクタとが嵌合するようにさらに下方（
−Ｚ方向）に押圧されると、係合部６１は、傾斜面７１１Ａに沿って次第に突出量が減少
し、圧縮コイルバネ６３は、さらに圧縮される。そして、係合部６１は、段差部７１２を
乗り越えると、圧縮コイルバネ６３の圧縮が開放されて前方（＋Ｙ方向）、後方（−Ｙ方
向）にそれぞれ付勢され、突出量が大きくなる。その結果、係合部６１は、先端が段差部
７１２と係合して係合状態となり、光源装置２１は、入力コネクタ２１３と出力コネクタ
とが接合して下側筐体７０に位置固定される。
【００５９】
光源装置２１は、操作部６２が把持されて上方（＋Ｚ方向）に引き上げられることによ
って下側筐体７０から抜出される。具体的に、係合部６１は、２つの片部６２２が近接す
るような力が加えられることによって、先端が段差部７１２から離間し、係合が解除され
て解除状態となる。この解除状態において、光源装置２１は、上方に引き上げられると、
入力コネクタ２１３と出力コネクタとの嵌合が解除されて下側筐体７０から抜出される。
このように、係合部６１は、圧縮コイルバネ６３によって付勢され、先端が段差部７１
２に係合する係合状態と、操作部６２の操作によって、先端が段差部７１２から離間する
解除状態とに突出する量が切り換えられる。そして、光源装置２１は、押圧されることで
下側筐体７０に位置固定され、操作部６２の操作によって位置固定が解除される。
【００６０】
次に、蓋部材８０について説明する。
図１１は、操作部６２および蓋部材８０の断面図である。
図１１に示すように、蓋部材８０は、アッパーケース１１の開口部１１２を閉塞する平
坦部８１の中央部に操作部６２に向かって突出する突起部８２が設けられている。突起部
８２は、保持部に相当する。突起部８２は、蓋部材８０がアッパーケース１１に装着され
た際に、２つの片部６２２間に位置し、２つの片部６２２が近接しないよう、つまり係合
状態における操作部６２を保持するように設定されている。
【００６１】
以上説明したように、本実施形態のプロジェクタ１００によれば、第１実施形態の効果
（１）、（２）、および（４）に加えて、以下の効果を得ることができる。
（１）光源装置２１は、押圧されることで下側筐体７０に位置固定され、操作部６２の
操作によって位置固定が解除される。これによって、ユーザーは、係合状態から解除状態
にする際にだけ操作部６２を操作すれば光源装置２１の交換ができるので、さらに利便性
の向上が図れる。
【００６２】
（２）操作部６２は、蓋部材８０がアッパーケース１１に装着された際に、突起部８２
によって保持されるので、操作部６２に圧入されている係合部６１と段差部７１２との係
合が強化される。これによって、蓋部材８０をアッパーケース１１に装着する操作で、係
合部６１を保持することができるので、利便性の向上が図れる。また、蓋部材８０は、操
作部６２に対して対向した位置に配置されているので、他の部材で保持部を構成する場合
に比べて簡略的な構成で保持部を形成できる。
【００６３】
なお、前記実施形態は、以下のように変更してもよい。
（変形例１）
第１実施形態の穴部４３３は、貫通する穴でなくとも側壁４３２１の内面側が凹形状と
なる穴でもよく、案内溝４３４も同様に、貫通する溝でなくとも側壁４３２１の内面側が
凹形状となる溝であってもよい。
【００６４】
（変形例２）
第１実施形態の可動部５および第２実施形態の可動部６０は、着脱できるように構成し
てもよい。例えば、図面は省略するが、第１実施形態の固定部材３３の右側（＋Ｘ方向）
あるいは、左側（−Ｘ方向）に開口部および可動部５に係合するフック構造を設け、その
開口部から可動部５を着脱をするように構成してもよい。右側（＋Ｘ方向）あるいは、左
側（−Ｘ方向）に開口部およびフック構造をもうけることによって、光源装置２１の着脱
における負荷によって、可動部５が光源装置２１から外れることが抑制される。第２実施
形態の可動部６０も同様の構成によって、着脱できるように構成してもよい。
これによって、交換用の光源装置２１には、可動部を取付けておかなくとも、交換され
る光源装置２１の可動部を使用することができるので、交換用の光源装置２１の軽量化、
部品点数の削減による低コスト化や製造工程の簡素化、省資源化等が図れる。
【００６５】
（変形例３）
前記第２実施形態の係合部６１は、操作部６２が前後方向（±Ｙ方向）、つまり係合部
６１が移動する方向と同一方向にスライドされることによって、先端の突出量が変更され
て係合状態と解除状態とが切り換えられているが、これ以外の態様で操作部６２が操作さ
れることによって係合部６１の突出量が切り換えられるように構成してもよい。その例を
図１２、図１３を用いて説明する。
図１２は、操作部６２および係合部６１を模式的に示す図であり、上方から見た図であ
る。
図１２に示すように、操作部６２は、平面視において略円形状をしており、時計回りお
よび反時計回りに回動可能に構成され、それぞれの回動した位置でロックされるようにな
っている。係合部６１は、２つのピン状部材で構成され、操作部６２の回動方向に連動し
てその突出量が切り換えられるように構成されている。具体的に、係合部６１は、操作部
６２が時計回りに回動された際に、突出量が大きくなり、反時計方向に回動された際に、
突出量が小さくなる。このように、係合部６１は、操作部６２が回動されることによって
、係合状態と解除状態とが切り換えられる。また、第２実施形態と同様に、付勢部によっ
て係合状態にし、解除状態に切り換える際にだけ操作部６２を操作するように構成しても
よい。
【００６６】
図１３は、図１２と同様に、操作部６２および係合部６１を模式的に示す図であり、上
方から見た図である。
図１３に示すように、操作部６２は、平面視において台形状をしており、±Ｘ方向、つ
まり係合部６１が移動する方向に対して略直交する方向にスライド可能に構成され、それ
ぞれのスライドした位置でロックされるようになっている。係合部６１は、図１２と同様
に、２つのピン状部材で構成され、操作部６２のスライド方向に連動してその突出量が切
り換えられるように構成されている。具体的に、係合部６１は、操作部６２が＋Ｘ方向に
スライドされた際に、突出量が大きくなり、−Ｘ方向にスライドされた際に突出量が小さ
くなる。このように、係合部６１は、操作部６２が係合部６１の移動する方向に対して略
直交する方向にスライドされることによって、係合状態と解除状態とが切り換えられる。
また、第２実施形態と同様に、付勢部によって係合状態にし、解除状態に切り換える際に
だけ操作部６２を操作するように構成してもよい。
【００６７】
（変形例４）
前記第２実施形態は、付勢部として圧縮コイルバネ６３を用いているが、板バネを用い
てもよい。また、付勢部として、磁石を用い、磁力によって係合部を付勢するように構成
してもよい。
【００６８】
（変形例５）
前記実施形態の光学部品用筐体４は、第１筐体４１および第２筐体４２に分離されて構
成されているが、例えば両者を結合し、上部と下部とで構成してもよい。また、電気光学
装置２７および投写レンズ２８をこの光学部品用筐体４に取り付けるように構成してもよ
い。
【００６９】
（変形例６）
前記実施形態の保持部は、操作部５２，６２を保持するように構成されているが、係合
部５１，６１を保持するように構成してもよい。
【００７０】
（変形例７）
前記実施形態のプロジェクタ１００は、光変調装置として反射型液晶パネル２７２Ｒ，
２７２Ｇ，２７２Ｂを用いているが、透過型の液晶パネルを利用したものであってもよい
。また、光変調装置は、マイクロミラーアレイを用いたデバイス等を使用したものであっ
てもよい。
【００７１】
（変形例８）
前記実施形態のプロジェクタ１００は、フロントタイプのプロジェクタ１００として適
用しているが、投写対象面としてのスクリーンを一体で有するリアタイプのプロジェクタ
にも適用できる。
【図面の簡単な説明】
【００７２】
【図１】本実施形態のプロジェクタを前方上側から見た斜視図。
【図２】光学ユニットを模式的に示す図。
【図３】第１実施形態の光学ユニットの斜視図。
【図４】第１実施形態の穴部および案内溝を側面から見た拡大図。
【図５】第１実施形態の光源装置の斜視図であり、固定部材および可動部を分解した図。
【図６】第１実施形態の係合部の断面図。
【図７】第１実施形態の光源装置および下側筐体を示す斜視図。
【図８】第１実施形態の光源装置および下側筐体を示す斜視図。
【図９】第２実施形態の下側筐体および可動部を示す斜視図。
【図１０】第２実施形態の可動部および下側筐体を示す断面図。
【図１１】第２実施形態の操作部および蓋部材の断面図。
【図１２】変形例の操作部および係合部を模式的に示す図。
【図１３】変形例の操作部および係合部を模式的に示す図。
【符号の説明】
【００７３】
１…外装筐体、４…光学部品用筐体、５，６０…可動部、１４，８０…蓋部材、２１…
光源装置、２２…照明光学装置、２３…色分離光学装置、２７…電気光学装置、２８…投
写レンズ、３１…筐体本体、３２…支持部材、３３…固定部材、４３，７０…下側筐体、
４３Ａ，７０Ａ…開口部、４４…上側筐体、５１，６１…係合部、５２，６２…操作部、
５２Ａ…外面、６３…圧縮コイルバネ、７１，４３２，４３２１…側壁、８２…突起部、
１００…プロジェクタ、２１１…光源、２１３…入力コネクタ、２７２Ｒ，２７２Ｇ，２
７２Ｂ…反射型液晶パネル、４３３…穴部、４３４…案内溝、４３４Ａ…内面、４３５…
段差、５１１…軸部、５１２…第１径部、５１３…第２径部、５２１…取付部、５２２…
把持部、７１１…丸穴、７１２…段差部、Ｄ１…距離、Ｄ２…内径寸法、Ｄ３，Ｄ４…外
径寸法。
【図１】
2010085556.tif 000003
【図２】
2010085556.tif 000004
【図３】
2010085556.tif 000005
【図４】
2010085556.tif 000006
【図５】
2010085556.tif 000007
【図６】
2010085556.tif 000008
【図７】
2010085556.tif 000009
【図８】
2010085556.tif 000010
【図９】
2010085556.tif 000011
【図１０】
2010085556.tif 000012
【図１１】
2010085556.tif 000013
【図１２】
2010085556.tif 000014
【図１３】
2010085556.tif 000015